(57)【特許請求の範囲】
【請求項１】
エンジンルーム内の加熱された空気を排気するためにフードに設けられた自動車フードの排気用ルーバにおいて、
フードの車幅方向の両側部を合成樹脂製のプレート状ガーニッシュとして構成し、
このガーニッシュの前端部分に開口部を形成すると共に、この開口部に、全周で発光するように前記ガーニッシュから突出するアウタレンズを備えた前記方向指示灯を前記開口部の閉鎖位置から上方の排気を行わせる開放位置へ回動可能に設け、
前記前端部分よりも後方寄りの前記ガーニッシュ領域に開口部を形成すると共に、この開口部に、その閉鎖位置から上方の排気を行わせる開放位置へ回動可能にルーバを設け、
このルーバ及び前記方向指示灯に、温度センサによる所定温度を上廻るエンジンルーム内の温度検知に応答して前記開放位置へ前記ルーバ及び前記方向指示灯を回動させるアクチュエータを付属させたことを特徴とする自動車フードの排気用ルーバ。
【発明の詳細な説明】
【０００１】
【発明の属する技術分野】
本発明は、エンジンルーム内で加熱された空気を排気するためにフードに設けられた自動車フードの排気用ルーバに関するものである。
【０００２】
【従来の技術】
この種のルーバとしては、フードに設けたバルジの開口部に、排気用或は吸気用のルーバを設けたり、或はエンジンルームの温度を検知して所定温度に達すると自動的に開口させる回転式のグリル状に形成されたもの等は周知である。
【０００３】
【発明が解決しようとする課題】
本発明は、このようなルーバの存在を前提に、さらに新規な意匠を与えることのできる自動車フードの排気用ルーバを提供することを目的とする。
【０００４】
【課題を解決するための手段】
本発明は、この目的を達成するために、請求項１により、エンジンルーム内の加熱された空気を排気するためにフードに設けられた自動車フードの排気用ルーバにおいて、フード（１）の車幅方向の両側部を合成樹脂製のプレート状ガーニッシュ（１０）として構成し、このガーニッシュの前端部分に開口部（１１）を形成すると共に、この開口部に、全周で発光するようにガーニッシュ（１０）から突出するアウタレンズ（３１）を備えた方向指示灯（３０）を開口部（１１）の閉鎖位置から上方の排気を行わせる開放位置へ回動可能に設け、前端部分よりも後方寄りのガーニッシュ（１０）領域に開口部（１１ａ、１１ｂ）を形成すると共に、この開口部に、その閉鎖位置から上方の排気を行わせる開放位置へ回動可能にルーバ（２０、２０ａ）を設け、このルーバ及び方向指示灯（３０）に、温度センサ（１９ａ）による所定温度を上廻るエンジンルーム内の温度検知に応答して開放位置へルーバ（２０、２０ａ）及び方向指示灯（３０）を回動させるアクチュエータ（１５〜１７、２２）を付属させたことを特徴とする。
【０００５】
フードの両側部を合成樹脂製のガーニッシュが占めると共に、アウタレンズ（３１）が突出することにより、特異なフード外観となる。エンジンルームが所定温度を上廻ると、ガーニッシュ面からルーバ（２０、２０ａ）が突出すると共に方向指示灯（３０）が回動してさらに特異なフード外観となると共に、エンジンルーム内の加熱された空気が開口部から排気される。
【０００６】
【発明の実施の形態】
図１乃至図４を基に本発明の実施の形態の一例による自動車フードの排気用ルーバを説明する。図４に示すように、フード１の車幅方向の両側部が、外板色に塗装された合成樹脂製のプレート状ガーニッシュ１０として構成されている。これらのガーニッシュには、図１に示すように、横幅が後方へ向けて順に小さくして方向指示灯３０用開口部１１及びルーバ２０、２０ａ用開口部１１ａ、１１ｂが形成されている。尚、ガーニッシュ１０は塗装することなく、樹脂材そのままにしても良い。
【０００７】
方向指示灯３０は、前後に傾斜面を有し、かつ全周が透光性の３角形状のアウタレンズ３１を備え、その前端部には、バルブを取付けられる底面３６に対してＬ字形に従動板２２が一体に形成されている。この従動板の上端部、即ちコーナ部は、開口部１１の両側部から下方へ形成されたひれ部１３ａにピン１３で回動自在に支持されている。
【０００８】
開口部１１ａ、１１ｂをそれぞれ閉鎖するルーバ２０、２０ａにもその前端部でＬ字形に曲げられて従動板２２が一体に形成されている。そのコーナ部は同様にピン１３で回動自在に支持されている。
【０００９】
ガーニッシュ１０の前端部の裏側に形成されたブラケットには、ロッド１６を進退駆動するソレノイド１５が設けられている。また、ガーニッシュ１０の後端部の裏側には、ロッド１６の先端部をスライド可能にガイドするガイド部１７が形成されている。ソレノイド１５には、エンジンルーム内に設けられた温度センサ１９ａが所定の温度上昇を検知するとオンになるスイッチ回路１９を通して駆動入力が供給される。
【００１０】
各従動板２２には、図２に示すように、ロッド１６が挿通される切欠部２５が形成されている。その対向する側面には、ロッド１６に突設されたピン１８が係入されるガイド溝２３（図１参照）がスリット状に形成されている。これにより、ロッド１６が前進すると、従動板２２が後方へ駆動されて回動し、方向指示灯３０及びルーバ２０、２０ａが連動して斜め上方へ回動する。
【００１１】
各ガーニッシュ１０の車幅方向に内側の側端部はフード１の両側の段状のフランジ部１ａに取付けられ、他方の側端部は通常状態でフェンダの段状のフランジ部２ａに着座している。
【００１２】
このように構成されたガーニッシュ１０の動作は次の通りである。温度センサ１９ａが高温を検知しない通常状態ではルーバ２０、２０ａはフード１の一般面として開口部１１ａ、１１ｂを閉鎖している。また、方向指示灯３０もその底面３６で開口部１１を閉鎖しており、アウタレンズ３１はガーニッシュ１０の一般面から３角形状に突出しているために全周で発光し、斜め後方からでも視認し易くなっている。フード１は、両側に合成樹脂製ガーニッシュ１０を備え、さらにアウタレンズ３１が突出した新規な意匠を呈する。
【００１３】
エンジンルームの温度が所定の高温に達すると、図３に示すようにロッド１６が前進することによりルーバ２０、２０ａ及びアウタレンズ３１は斜め上方に開放して、開口部１１、１１ａ、１１ｂから高温になったエンジンルーム内の空気の排気が行われると共に、立体感が一層高まった新規な意匠を呈する。
【００１４】
尚、本発明と部分的に関連する参考例として、図５に示すように、方向指示灯３０の底面３６を開口部１１の裏側に取付けて固定し、ルーバ２０、２０ａのみを回動式に構成しても良い。また、方向指示灯３０を廃止したり、或はルーバを１枚もしくは３枚以上に構成することも考えられる。アクチュータとしては、エアシリンダ、所定温度で膨張するシリコンオイルによるシリンダを採用することも可能である。
【００１５】
【発明の効果】
請求項１の発明によれば、フードの側部に合成樹脂製ガーニッシュを備えることにより、新規な意匠のフードが実現されると共に、ルーバ及び方向指示灯の回動・開放によりエンジンルームの加熱を防止することも可能となる。また、ガーニッシュから方向指示灯のアウタレンズが突出することにより、立体化された新規な意匠が得られると共に、後方からの視認性も向上し、その回動によりさらに意匠性が高まる。
【図面の簡単な説明】
【図１】  本発明の実施の形態による自動車フードの排気用ルーバの断面図である。
【図２】  図１のＡ−Ａ線断面図である。
【図３】  エンジンルームが高温になった状態での同ガーニッシュの断面図である。
【図４】  同ガーニッシュ備えた自動車の斜視図を示す。
【図５】  参考例によるガーニッシュの断面図である。
【符号の説明】
１  フード
１０  ガーニッシュ
１１、１１ａ、１１ｂ  開口部
１５  ソレノイド
２０、２０ａ  ルーバ
３０  方向指示灯
３１  アウタレンズ
【図１】
0003956178.tif 000002
【図２】
0003956178.tif 000003
【図３】
0003956178.tif 000004
【図４】
0003956178.tif 000005
【図５】
0003956178.tif 000006